(57)【要約】【解決手段】戸袋Ａを構成する部材であって、互いに連関する構成部材の一方１に係合部１ａが形成され、他方の構成部材２には前記係合部１ａと嵌合する上向きの切り起し片２ａが形成されている。【効果】前記係合部１ａと前記切り起し片２ａとが嵌合するだけで、互いに連関する構成部材１、２がいわゆる仮止めの状態で、極めて容易かつ迅速に、しかも極めて正確に、組み立てることができる。逆に、前記係合部１ａと前記切り起し片２ａとの嵌合状態を解くだけで、互いに連関する構成部材を極めて容易かつ迅速に分解することができる。【選択図】図１
2011127343.tif 000002
【特許請求の範囲】
【請求項１】
戸袋を構成する部材であって、互いに連関する構成部材の一方に係合部が形成され、他方の構成部材には前記係合部と嵌合する上向きの切り起し片が形成されていることを特徴とする組立・分解式戸袋。
【請求項２】
係合部と切り起し片とが嵌合した状態で、連関する構成部材をビスで互いに固定したことを特徴とする請求項１記載の組立・分解式戸袋。
【発明の詳細な説明】
【技術分野】
【０００１】
本発明は、組立・分解可能な戸袋に関するものである。
【背景技術】
【０００２】
従来、戸袋は大工が現場で組み立てていたが、近年、鉄ないしスチール製であって予め工場その他において組み上げられたものを現場に運んで設置する方式を取ることが多くなって来ている（例えば、特許文献１参照）。
【先行技術文献】
【特許文献】
【０００３】
【特許文献１】特開平１１−２４７３５８号公報（図６）
【０００４】
図１３(a)、(b)に示すように、このような枠体Ｂ’にさらに各種のパネルＣ’、Ｃ’を溶接等で固定すると、予め組み上がった戸袋Ａ’は、材質が鉄ないしスチール製であることや戸袋が比較的大きいため、非常に重くなり（通常、３０ｋｇ程度）、取り回しも悪いのみならず、輸送コストもかかるという欠点がある。なお、図１３(c)は、図１３(a)、(b)に示す戸袋Ａ’の施工状態を示す一部切り欠きの横断面図であり、この戸袋Ａ’に対して引込戸Ｄ’を開閉することができる。
【発明の概要】
【発明が解決しようとする課題】
【０００５】
そこで、本発明では、当該戸袋を構成する部材であって互いに連関する構成部材を組立・分解可能とし、上記欠点を解消することができるように工夫したものである。
【課題を解決するための手段】
【０００６】
すなわち、本発明では、戸袋を構成する部材であって、互いに連関する構成部材の一方に係合部が形成され、他方の構成部材には前記係合部と嵌合する上向きの切り起し片が形成されている。
この場合においては、前記係合部と前記切り起し片とが嵌合するだけで、互いに連関する構成部材がいわゆる仮止めの状態で、極めて容易かつ迅速に、しかも極めて正確に、組み立てることができる。逆に、前記係合部と前記切り起し片との嵌合状態を解くだけで、互いに連関する構成部材を極めて容易かつ迅速に分解することができる。
したがって、極めて容易かつ迅速に、しかも極めて正確に、戸袋を組み立てたり、分解することができる。
【０００７】
係合部と切り起し片とが嵌合した状態で、連関する構成部材をビスで互いに固定しておくのが良い。
このようにすれば、戸袋を構成する部材であって、互いに連関する構成部材を強固に固定することができるので、戸袋全体の強度を十分に保持することができる。
【発明の効果】
【０００８】
請求項１記載の発明によれば、極めて容易かつ迅速に、しかも極めて正確に、戸袋を組み立てたり、分解することができる。
【０００９】
請求項２記載の発明によれば、戸袋を構成する部材であって、互いに連関する構成部材を強固に固定することができるので、戸袋全体の強度を十分に保持することができる。
【図面の簡単な説明】
【００１０】
【図１】本発明による組立・分解式戸袋の基本原理の一例を示す図で、(a)は正面図、(b)はその一部を切断して示す側面図、(c)は平面図、(d)は構成部材の一つに係合部が形成されていることを示す平面図である。
【図２】本発明による組立・分解式戸袋の枠体の一例を示す全体図で、(a)は平面図、(b)は正面図である。
【図３】図２に示す枠体の拡大図で、(a)は拡大平面図、(b)は枠体の上部のみを示す拡大正面図である。
【図４】図２に示す枠体の下部のみを示す拡大図である。
【図５】図２に示す枠体に、レール取付用パネルや大きさの異なるパネルを態で配置し、枠体とレール取付用パネルや大きさの異なるパネルとをビスで固定した状態を示す全体図で、(a)は平面図、(b)は正面図である。
【図６】図５の拡大図で、(a)は平面図、(b)は戸袋の上部のみを示す。
【図７】図５の一部の拡大図で、戸袋の中間部分のみを示す。
【図８】図５の一部の拡大図で、戸袋の下部のみを示す。
【図９】枠体に配置される部材の拡大斜視図で、(a)はレール取付用パネルを、(b)、(c)は大きさの異なるパネルを示す。
【図１０】図６のＸ−Ｘ線に沿う拡大端面図で、(a)はレール取付用パネルで、枠体の一部である上桟と共に示す、(b)は小パネルを示す。
【図１１】図７のＸＩ−ＸＩ線に沿う拡大端面図で、大パネルを示す。
【図１２】図５に示す本発明による組立・分解式戸袋の使用状態の一例を示す拡大断面図である。
【図１３】図５に示す本発明による組立・分解式戸袋の使用状態の一例を示す概略横断面図である。
【図１４】鉄ないしスチール製であって予め工場その他において組み上げられた従来の戸袋の一例を示す図で、(a)は正面図、(b)はそれを切断して示す拡大側面図、(c)はその使用状態を示す概略横断面図である。
【発明を実施するための形態】
【００１１】
本発明による本発明による組立・分解式戸袋の一例を、図１〜図１２に基いて詳細に説明する。
本発明による組立・分解式戸袋Ａの基本原理は、図１に示すように、戸袋Ａを構成する部材であって、互いに連関する構成部材の一方１に係合部１ａが形成され、他方の構成部材２には前記係合部１ａと嵌合する上向きの切り起し片２ａが形成された場合をいう。
【００１２】
この場合においては、前記係合部１ａと前記切り起し片２ａとが嵌合するだけで、互いに連関する構成部材１、２がいわゆる仮止めの状態で、極めて容易かつ迅速に、しかも極めて正確に、組み立てることができる。逆に、前記係合部１ａと前記切り起し片２ａとの嵌合状態を解くだけで、互いに連関する構成部材１、２を極めて容易かつ迅速に分解することができる。
【００１３】
この具体例を示すと、全体図である図２に示すように、戸袋Ａの方形状の枠体Ｂを構成するＣ型アングルからなる縦桟３と、この縦桟３と対向する側に位置するＬ型アングルからなる縦桟４と、両縦桟３、４の上端に渡し架けられる上桟５と、両縦桟３、４の下端に配置される下桟６とにおいて、前記上桟５と下桟６とに係合部１ａを、前記両縦桟３、４に前記係合部１ａと嵌合する上向きの切り起し片２ａを形成した場合を挙げることができる。
【００１４】
これをさらに拡大した図３、図４を用いてさらに詳細に説明すると、前記上桟５と下桟６とに係合部１ａが、前記両縦桟３、４に前記係合部１ａと嵌合する上向きの切り起し片２ａが形成され、前記係合部１ａと前記切り起し片２ａとが嵌合するだけで、両縦桟３、４とその上端に渡し架けられた上桟５とが、また、両縦桟３、４とその下端に配置された下桟６とが、いわゆる仮止めの状態で、極めて容易かつ迅速に、しかも極めて正確に、組み立てることができる。逆に、前記係合部１ａと前記切り起し片２ａとの嵌合状態を解くだけで、互いに連関する両縦桟３、４とその上端に渡し架けられた上桟５とを、また、互いに連関する両縦桟３、４とその下端に配置された下桟６とを極めて容易かつ迅速に分解することができる。
【００１５】
また、前記両縦桟３、４には、前記以外の位置に各種の小パネル７、大パネル８、レール取付パネル９を取り付けることができるようになっており、そのために、図２〜図４に示すように、両縦桟３、４の前記以外の所定位置にも切り起し片２ａがそれぞれ形成されている。一方、図５〜図７に示すように、小パネル７、大パネル８、レール取付パネル９には、これら各切り起し片２ａ、２ａを嵌合させ得る係合部１ａがそれぞれ形成されている。
【００１６】
したがって、小パネル７、大パネル８、レール取付パネル９に形成された各係合部１ａ、１ａと両縦桟３、４に形成された各切り起し片２ａ、２ａとが嵌合するだけで、両縦桟３、４と両縦桟３、４に渡し架けるように配置された小パネル７、大パネル８、レール取付パネル９とがいわゆる仮止めの状態で、極めて容易かつ迅速に、しかも極めて正確に、組み立てることができる。逆に、前記係合部１ａと前記切り起し片２ａとの嵌合状態を解くだけで、両縦桟３、４と両縦桟３、４に渡し架けるように配置されている小パネル７、大パネル８、レール取付パネル９とを極めて容易かつ迅速に分解することができる。
【００１７】
前記係合部１ａを構成部材１の上側に形成する場合には、図１(c)、(d)に示すようにいわゆる開口された孔とすると、係合部１ａを形成しやすいのみならず、前記切り起し片２ａと嵌合させやすい。また、前記係合部１ａを構成部材１の下側に形成する場合には、図１(a)に示すように単なる逆Ｕ字状の切欠とすると、係合部１ａを形成しやすいのみならず、前記切り起し片２ａと嵌合させやすい。
【００１８】
一方、前記切り起し片２ａは、前記構成部材１、２をいずれもスチール製としてその素材の一部を逆Ｕ字状に切断し、切断された逆Ｕ字の内側に相当する部分を、図１(b)に示すように折曲して起すと、強度的に優れているのみならず、切り起し片２ａを形成しやすいし、前記係合部１ａと嵌合させやすい。
なお、前記構成部材１、２はスチール製に限定されるものではなく、他の金属製としても良いし、非鉄金属製としても良い。要するに、強度的に弱いプラスチックス製に代わるものであって、さらに、反りや狂いが生じやすい木製に代わるものであって、強度的に優れた材質のものからなるものとすれば良い。前記構成部材１、２をこのような材質のものからなるものとすれば、前記係合部１ａ及び前記切り起し片２ａを形成しやすい。
【００１９】
また、図２〜図４、図９に示すように、戸袋Ａの構成部材１、２である両縦桟３、４、上桟５、下桟６、小パネル７、大パネル８、レール取付パネル９には、前記係合部１ａと前記切り起し片２ａとの少なくとも１つの嵌合位置付近に、ビスねじ込み用の孔１０、１０がそれぞれ形成されており、それぞれの仮止めの状態において、図６〜図８に示すように、前記孔１０、１０にビス１１、１１をそれぞれねじ込むことにより、両縦桟３、４と上桟５、下桟６、小パネル７、大パネル８、レール取付パネル９とを互いに固定することができる。
【００２０】
このように、前記孔１０、１０にビス１１、１１をそれぞれねじ込むことにより、両縦桟３、４と上桟５、下桟６、小パネル７、大パネル８、レール取付パネル９とを互いに強固に固定することができる。
逆に、前記孔１０、１０からビス１１、１１をそれぞれ外し、前記係合部１ａと前記切り起し片２ａとの嵌合状態を解くだけで、両縦桟３、４と上桟５、下桟６、小パネル７、大パネル８、レール取付パネル９とを極めて容易かつ迅速に分解することができる。
【００２１】
なお、レール取付パネル９は、図１０(a)及び図１２に示すように、両縦桟３、４ないし上桟５に対して表面のみに配置されるのに対して、小パネル７、大パネル８は、図１０(b)及び図１１に示すように、両縦桟３、４ないし上桟５に対して表裏両面に２枚配置されている。
【００２２】
組立・分解式のこの戸袋Ａは、図１２及び図１３に示すように、隣接する部屋と部屋との間を仕切る仕切壁Ｃに開口するように形成された出入口Ｄを開閉するために、例えばレールＥに沿って滑らせながら出入口Ｄを開閉する形式の引込戸Ｆ用として用いられるものである。そして、この戸袋Ａは前記仕切壁Ｃを構成する石膏ボードＧ内に嵌め込まれ、前記レール取付パネル９に取り付けられたレールＥ上をローラＨが回転することにより、隣接する部屋と部屋との間を仕切る仕切壁Ｃの出入口Ｄを開閉することができる。
【００２３】
本戸袋Ａの上桟５はビスＩにより上側の横桟Ｊに、また、本戸袋Ａの下桟６はビスＫにより床パネルＬに固定される。図１２において、符号Ｍはガイドピンで、引込戸Ｆの下面においてその幅方向に形成されている溝ｆに差し込まれ、引込戸Ｆの滑動をスムーズに行い得るようにするためのものである。
【００２４】
組立・分解式のこの戸袋Ａを構成する各構成部材、すなわち、前記両縦桟３、４、上桟５、下桟６、小パネル７、大パネル８、レール取付パネル９を全てスチール製にするのが最も好ましい。
このように、本戸袋Ａを全てスチール製にした場合には、木製のものに比べて反りや狂いがないため、引込戸Ｆが本戸袋Ａとこすれるおそれがない。また、木製の場合に比べて戸袋の厚みを薄くできるので、仕切壁Ｃの厚みを薄くすることができる。さらに、木製の戸袋では、強度の面から手すり取付用のブラケットを戸袋に取り付けることができなかったが、スチール製の戸袋の場合には、強度が十分に保たれるので、取付可能である。
【産業上の利用可能性】
【００２５】
本発明による戸袋は、上述した形式の引込戸Ｆ用として用いることができるばかりでなく、一筋鴨居と一筋敷居との間に配置される引込戸用として、あるいは、その他各種形式の引込戸用として用いることができる。
【符号の説明】
【００２６】
１、２…戸袋の構成部材、１ａ…係合部、２ａ…切り起し片、３、４…縦桟、５…上桟  、６…下桟  、７…小パネル、８…大パネル、９…レール取付パネル、１０…孔、１１…ビス、Ａ…戸袋、Ｂ…枠体、Ｃ…仕切壁、Ｄ…出入口、Ｅ…レール、Ｆ…引込戸、Ｇ…石膏ボード、Ｈ…ローラ。
【図１】
2011127343.tif 000003
【図２】
2011127343.tif 000004
【図３】
2011127343.tif 000005
【図４】
2011127343.tif 000006
【図５】
2011127343.tif 000007
【図６】
2011127343.tif 000008
【図７】
2011127343.tif 000009
【図８】
2011127343.tif 000010
【図９】
2011127343.tif 000011
【図１０】
2011127343.tif 000012
【図１１】
2011127343.tif 000013
【図１２】
2011127343.tif 000014
【図１３】
2011127343.tif 000015
【図１４】
2011127343.tif 000016
【手続補正書】
【提出日】平成22年12月24日(2010.12.24)
【手続補正１】
【補正対象書類名】明細書
【補正対象項目名】００１１
【補正方法】変更
【補正の内容】
【００１１】
本発明による組立・分解式戸袋の一例を、図１〜図１２に基いて詳細に説明する。
本発明による組立・分解式戸袋Ａの基本原理は、図１に示すように、戸袋Ａを構成する部材であって、互いに連関する構成部材の一方１に係合部１ａが形成され、他方の構成部材２には前記係合部１ａと嵌合する上向きの切り起し片２ａが形成された場合をいう。